(57)【特許請求の範囲】
【請求項１】
生体試料を収容した容器を複数収めたボックスを格納して予備凍結する予備凍結装置であって、
前記ボックスを格納する筐体と、
該筐体内に設けられて前記ボックスを載置するボックス載置部と、
該ボックス載置部より下方に設けられて前記筐体内に低温液化ガスを吹き出す吹出口と、
低温液化ガス供給源から前記吹出口まで配設されて前記低温液化ガスを供給する主供給管と、
一端側が前記吹出口又は前記主供給管に連通し、他端側が前記低温液化ガス供給源に接続されて前記低温液化ガスを供給する副供給管と、
前記筐体内の温度を測定する温度測定器と、
前記主供給管に設けられ、前記筐体内の温度を制御するために前記低温液化ガスの流量を調節する主調節弁と、
前記副供給管に設けられ、前記筐体内に供給される前記低温液化ガスの供給量を増やすために前記低温液化ガスの流量を調節する副調節弁と、
前記温度測定器で測定された温度と予め設定された設定温度との偏差に応じて主調節弁の開閉を制御し、予め設定された設定時間又は前記温度測定器で測定された温度に基づいて副調節弁の開閉を制御する調節弁制御部を備えたことを特徴とする予備凍結装置。
【請求項２】
前記副調節弁の容量係数は前記主調節弁の容量係数よりも大きいことを特徴とする請求項１に記載の予備凍結装置。
【請求項３】
前記筐体内に多孔板を有し、該多孔板は前記ボックス載置部の下方で、かつ、前記吹出口よりも上方に配設されていることを特徴とする請求項１又は２に記載の予備凍結装置。
【請求項４】
前記多孔板の前記吹出口からの高さを調節可能にしたことを特徴とする請求項３に記載の予備凍結装置。
【請求項５】
前記多孔板は上下方向に複数枚配設され、複数枚の前記多孔板の下側と上側の孔が重ならない配置にしたことを特徴とする請求項３又は４に記載の予備凍結装置。
【発明の詳細な説明】
【技術分野】
【０００１】
本発明は、凍結保存容器に封入した生体試料を凍結保存するに際し、予備的に凍結するための予備凍結装置に関する。
【背景技術】
【０００２】
iPS細胞やES細胞等の幹細胞の発明により、ヒト細胞を利用する再生医療分野に向けた研究開発が加速している。幹細胞の産業応用を考えた場合、培養された細胞を高効率で大量に凍結保存する技術の確立が欠かせない。
幹細胞、特にヒトiPS細胞は、凍結技術に熟練を要するなど長期保存に課題がある。一般的な細胞凍結方法では、解凍後の生細胞率が10%程度と低い場合もある。-80℃の電気式フリーザーで10時間以上かけて凍結させる方法も用いられているが、凍結に要する時間が長いため、幹細胞の大量凍結、大量供給には不向きであった。
【０００３】
特許文献１には、低温の窒素ガスによる強制対流冷却によって冷却ユニット内部のバイアルとそれに収容された生体試料を冷凍する方法及びシステムが開示されている。
【先行技術文献】
【特許文献】
【０００４】
【特許文献１】特表２０１１−５０５７９３号公報
【発明の概要】
【発明が解決しようとする課題】
【０００５】
特許文献１に記載の冷凍方法及びシステムによれば、生体試料を急速冷却することはできる。しかしながら、生体試料を急速冷却する過程で過冷却状態がおこり、生細胞率が低下するおそれがある。
【０００６】
本発明は、上記のような課題を解決するためになされたものであり、生体試料の凍結過程において過冷却を抑制することによって、生細胞率の低下を抑えつつ、凍結に要する時間が短くて大量凍結が可能な予備凍結装置を提供することを目的とする。
【課題を解決するための手段】
【０００７】
（１）本発明に係る予備凍結装置は、生体試料を収容した容器を複数収めたボックスを格納して予備凍結するものであって、前記ボックスを格納する筐体と、該筐体内に設けられて前記ボックスを載置するボックス載置部と、該ボックス載置部より下方に設けられて前記筐体内に低温液化ガスを吹き出す吹出口と、低温液化ガス供給源から前記吹出口まで配設されて前記低温液化ガスを供給する主供給管と、一端側が前記吹出口又は前記主供給管に連通し、他端側が前記低温液化ガス供給源に接続されて前記低温液化ガスを供給する副供給管と、前記筐体内の温度を測定する温度測定器と、前記主供給管に設けられ、前記筐体内の温度を制御するために前記低温液化ガスの流量を調節する主調節弁と、前記副供給管に設けられ、前記筐体内に供給される前記低温液化ガスの供給量を増やすために前記低温液化ガスの流量を調節する副調節弁と、前記温度測定器で測定された温度と予め設定された設定温度との偏差に応じて主調節弁の開閉を制御し、予め設定された設定時間又は前記温度測定器で測定された温度に基づいて副調節弁の開閉を制御する調節弁制御部を備えたことを特徴とするものである。
【０００８】
（２）上記（１）に記載のものにおいて、前記副調節弁の容量係数は前記主調節弁の容量係数よりも大きいことを特徴とするものである。
【０００９】
（３）上記（１）又は（２）に記載のものにおいて、前記筐体内に多孔板を有し、該多孔板は前記ボックス載置部の下方で、かつ、前記吹出口よりも上方に配設されていることを特徴とするものである。
【００１０】
（４）上記（３）に記載のものにおいて、前記多孔板の前記吹出口からの高さを調節可能にしたことを特徴とするものである。
【００１１】
（５）上記（３）又は（４）に記載のものにおいて、前記多孔板は上下方向に複数枚配設され、複数枚の前記多孔板の下側と上側の孔が重ならない配置にしたことを特徴とするものである。
【発明の効果】
【００１２】
本発明に係る予備凍結装置においては、生体試料を収容した容器を複数収めたボックスを格納して予備凍結するものであって、前記ボックスを格納する筐体と、該筐体内に設けられて前記ボックスを載置するボックス載置部と、該ボックス載置部より下方に設けられて前記筐体内に低温液化ガスを吹き出す吹出口と、低温液化ガス供給源から前記吹出口まで配設されて前記低温液化ガスを供給する主供給管と、一端側が前記吹出口又は前記主供給管に連通し、他端側が前記低温液化ガス供給源に接続されて前記低温液化ガスを供給する副供給管と、前記筐体内の温度を測定する温度測定器と、前記主供給管に設けられ、前記筐体内の温度を制御するために前記低温液化ガスの流量を調節する主調節弁と、前記副供給管に設けられ、前記筐体内に供給される前記低温液化ガスの供給量を増やすために前記低温液化ガスの流量を調節する副調節弁と、前記温度測定器で測定された温度と予め設定された設定温度との偏差に応じて主調節弁の開閉を制御し、予め設定された設定時間又は前記温度測定器で測定された温度に基づいて副調節弁の開閉を制御する調節弁制御部を備えたことにより、前記副調節弁を制御して前記筐体内に供給される前記低温液化ガスの流量を増すことで、該低温液化ガスの流動で前記生体試料を収容した前記容器に振動を与える。細胞等の生体試料の凍結過程において過冷却が生じると、過冷却状態の解除後に放出された潜熱によって温度が上昇し、下降している雰囲気温度との温度差が大きくなって生体試料の冷却速度が大きくなる結果、生体試料中の細胞内に氷晶が形成され、生細胞率が低下するが、本発明では、振動を与えることによって生体試料の凍結過程において過冷却を抑制することができ、生細胞率の低下を抑えつつ、生体試料の冷却時間を短縮して大量凍結することが可能となる。
【図面の簡単な説明】
【００１３】
【図１】本発明の実施の形態に係る予備凍結装置の構成図である。
【図２】本発明の実施の形態に係る筐体の構成図である。
【図３】本発明の実施の形態に係る台受けの上面図（ａ）及び側面図（ｂ）である。
【図４】本発明の実施の形態に係る蓋の上面図（ａ）及び側面図（ｂ）である。
【図５】本発明の実施の形態に係るボックス載置部の上面図（ａ）及び側面図（ｂ）である。
【図６】本発明の実施の形態に係る多孔板の概略図である。
【図７】本発明の実施の形態に係る筐体内の制御温度と、主調節弁及び副調節弁の動作態様の概略図である（その１）。
【図８】本発明の実施の形態に係る筐体内の制御温度と、主調節弁及び副調節弁の動作態様の概略図である（その２）。
【発明を実施するための形態】
【００１４】
本発明の実施の形態に係る予備凍結装置１は、図１に示すように、生体試料を収容した容器２０１を複数収めたボックス２０３を格納し、例えば液化窒素等の低温液化ガス及びそれが気化した低温窒素ガス等の低温ガスの冷熱を利用して予備凍結するものである。
以下、まずは容器２０１及びボックス２０３について説明した後、本発明の実施の形態に係る予備凍結装置１の構成について詳細に説明する。
【００１５】
＜容器＞
容器２０１は、培養細胞等の生体試料を凍結保存するバイアル又は凍結保存チューブである。バイアル又は凍結チューブとして、容量1cc〜2cc程度で円筒のものが市販されており、底部が軸方向にテーパ―状となっているものもある。
【００１６】
＜ボックス＞
ボックス２０３は、生体試料を収容した複数本の容器２０１を収めるものである。
後述するように、本発明の実施の形態においては、低温液化ガスによって容器２０１に収容された生体試料を常温から所定の温度まで冷却して凍結するため、図２に示すように、ボックス２０３の底面は開口し、ボックス２０３内部に前記低温液化ガスが気化した低温ガスが流入して容器２０１を直接冷却できるものが好ましい。
この場合、ボックス２０３に納められた容器２０１は、仕切り２０３ａによって設けられた区画に一本ずつ収められ、容器２０１の側面は仕切り２０３ａによって上下方向に移動可能に支持されていることが望ましい。
【００１７】
さらに、市販されているボックス２０３は、通常、上部を塞ぐ蓋を備えているが、前述のとおり、ボックス２０３に低温ガスを流入させて容器２０１を冷却する場合、ボックス２０３の前記蓋を取り外した状態で使用することが好ましい。
【００１８】
＜予備凍結装置＞
本発明の実施の形態に係る予備凍結装置１は、図１に示すように、生体試料を収容した容器２０１を複数本収めたボックス２０３を内部に格納する筐体２１と、筐体２１内にボックス２０３を載置するボックス載置部３１と、ボックス載置部３１より下方に設けられて筐体２１内に低温液化ガスを吹き出す吹出口２７と、低温液化ガス供給源１００から吹出口２７まで配設された主供給管１１と、一端側が主供給管１１に連通し、他端側が低温液化ガス供給源１００に接続された副供給管１５と、筐体２１内の温度を測定する温度測定器５１と、主供給管１１に設けられ、筐体２１内の温度を制御するために前記低温液化ガスの流量を調節する主調節弁１２と、副供給管１５に設けられ、筐体２１内に供給される前記低温液化ガスの供給量を増やすために前記低温液化ガスの流量を調節する副調節弁１６と、温度測定器５１で測定された温度に基づいて、主調節弁１２と副調節弁１６を制御する調節弁制御部６１を備えたものである。
【００１９】
≪筐体≫
筐体２１は、ボックス２０３を格納するものであり、箱状の台受け２３（図３参照）と、台受け２３の上部を覆う蓋２５（図４参照）で構成される。
台受け２３には、底面２３ａに低温液化ガスを筐体２１内に供給するための吹出口２７が設けられている。
図３においては、底面２３ａに９個の吹出口２７が設けられている。
【００２０】
吹出口２７の配置は、図２に示すように、ボックス載置部３１又は多孔板４１ａよりも下方であればよく、例えば、台受け２３の側面でもよい。
吹出口２７の個数は、筐体２１内における低温液化ガス及びそれが気化した低温ガスの流れを調節するために適宜変更することができる。
【００２１】
蓋２５の側面には筐体２１内の低温ガスを排出するための複数の排出口２９が設けられている。
【００２２】
図４においては、蓋２５の各側面に排出口２９が２個ずつ、計８個設けられているが、予備凍結する過程においては、全ての排出口２９を用いる必要はなく、適宜プラグ等で排出口２９を塞ぎ、筐体２１内における前記低温ガスの流れを調節してもよい。
又、蓋２５と容器２０１とのクリアランスは、筐体２１内に供給された低温液化ガス及びそれが気化した低温ガス流動の勢いによって容器２０１がボックス２０３から飛び出さないように設定する。
【００２３】
≪ボックス載置部≫
ボックス載置部３１は、筐体２１内に設けられてボックス２０３を載置するためのものであり、ボックス２０３を支持可能であれば良く、図５に示すように、ボックス２０３底面の周縁部を支持可能な枠形状のものが望ましい。又、ボックス枠材３１ａによりボックス２０３を載置する位置を定めても良い。
【００２４】
ボックス２０３を載置したボックス載置部３１は、ナット３５により脚部３３に固定され、台受け２３内に格納され、台受け２３内におけるボックス載置部３１はナット３５により吹出口２７からの高さが調節可能になっている。
【００２５】
ボックス載置部３１の下方には、筐体２１内に吹出された低温液化ガス及びそれが気化した低温ガスの勢いを緩和し、ボックス２０３に流入する低温ガスの流れを均一にするため、多孔板４１ａ及び多孔板４１ｂを吹出口２７よりも上方に配設することが好ましく、図２及び図５においては、２枚の多孔板４１ａ及び多孔板４１ｂがナット３７ａ及びナット３７ｂによりそれぞれ脚部３３に固定されている。
【００２６】
後述するように、筐体２１内に供給する低温液化ガスの流量を増してボックス２０３内に収容された容器２０１を適度な振動が与えられるよう、多孔板４１ａ及び多孔板４１ｂはナット３７ａ及びナット３７ｂにより低温液化ガスの吹出口２７からの高さがそれぞれ調節可能である。
【００２７】
吹出口２７から吹き出された低温液化ガスは、２枚の多孔板４１ａ及び多孔板４１ｂに衝突して気化し、それぞれの孔を通過することで、ボックス２０３底面に露出した容器２０１底面に均一に吹き付けることができる。
多孔板４１ａ及び多孔板４１ｂの孔は、低温ガスを通過できるものであれば形状及び寸法は任意であるが、筐体２１内における低温ガス流れを均一に整流できるものがより好ましい。
【００２８】
図６に、多孔板の例として、孔が千鳥配列された多孔板４１ａ及び多孔板４１ｂを示す。低温ガスは多孔板４１ａ及び多孔板４１ｂに設けられた孔を通過することで、均一に整流される。
多孔板の枚数は、適宜選択することができるが、図２及び図５に示すように、多孔板４１ａと多孔板４１ｂを上下方向に２重構成とし、かつ、図６に示すような下側の多孔板４１ａと上側の多孔板４１ｂの孔が上下方向に重ならない配置とすることによって、筐体２１内に吹出された低温ガスの勢いを適切に緩和すると共に流れを均一にすることができ、低温ガスによってボックス２０３に適度な振動を与えることができる。
【００２９】
≪主供給管≫
主供給管１１は、図１に示すように低温液化ガス供給源１００と筐体２１に設けられた吹出口２７とを接続して前記低温液化ガスを筐体２１内に供給するものであり、低温液化ガス供給源１００から筐体２１に供給される低温液化ガスの流量を調節する主調節弁１２を備えている。
【００３０】
≪副供給管≫
副供給管１５は、図１に示すように、一端側が主供給管１１に連通し、他端側が低温液化ガス供給源１００に主供給管１１を介して間接的に接続されて前記低温液化ガスを筐体２１内に供給するものであり、必要時に開弁して低温液化ガスを流通させる副調節弁１６を備えている。副供給管１５の管径は、主供給管１１の管径よりも大きい、若しくは、同等であることが好ましい。
なお、図１においては、副供給管１５は主供給管１１を介して低温液化ガス供給源１００に間接的に接続されている例を示したが、副供給管１５が低温液化ガス供給源１００に直接接続されていても構わない。
【００３１】
≪主調節弁及び副調節弁≫
主調節弁１２は、所定の冷却プログラムに従って筐体２１内に低温液化ガスの流量を調節しながら生体試料の予備凍結を行うためのものであり、温度測定器５１で測定された筐体２１内の温度に基づいて調節弁制御部６１によって主調節弁１２の開閉又は開度が制御される。
主調節弁１２は、その容量係数が、筐体２１内において生体試料を所定の冷却プログラムに従って予備凍結するのに必要な低温液化ガスの流量を満足することが望ましい。
【００３２】
副調節弁１６は、主調節弁１２と並列になるように副供給管１５に設けられ、筐体２１内に格納されたボックス２０３及び／又はボックス２０３に収容された容器２０１を低温液化ガスの流動によって振動させるため、必要時に筐体２１に供給される低温液化ガスの流量を増すものである。
ここで、低温液化ガスの流動によって容器２０１を振動するメカニズムについて、以下に説明する（図１、図２参照）。
【００３３】
主調節弁１２の開閉により筐体２１に供給される低温液化ガスの流量を制御し、予め定めた冷却プログラムに従って筐体２１内の温度を制御しているとき、副調節弁１６を開弁すると、筐体２１に供給される低温液化ガスの流量が増加する。筐体２１に供給された低温液化ガスは吹出口２７から吹き出し、多孔板４１ａ、多孔板４１ｂ、ボックス載置部３１を通過し、ボックス２０３底面が図２に示すように開口したものである場合、該底面に露出した容器２０１底面に低温ガスとして均一に吹き付けられる。
【００３４】
低温液化ガスの流量が十分に大きい場合、容器２０１は底面に吹き付けられた低温ガスの勢いにより、仕切り２０３ａで区画された空間内において上方に浮く。
そして、副調節弁１６を閉弁すると、副供給管１５を流通して筐体２１への低温液化ガスの供給が停止するため、容器２０１底面に吹き付けられる低温ガスの勢いが減衰して、容器２０１は降下し、容器２０１は元の位置に戻る。
【００３５】
このように、副調節弁１６を間欠的に開弁することで、容器２０１の浮上と降下を起こすことができ、この過程で容器２０１を振動させることが可能となる。
【００３６】
このように、容器２０１を低温ガスの勢いで振動させるためには、副調節弁１６は、その容量係数が、ボックス２０３及び／又はボックス２０３に収容された容器２０１を適切に振動させるのに必要な流量を満足するものであることが望ましい。
【００３７】
具体的には、副調節弁１６の容量係数は、筐体２１内の温度を調節するために低温液化ガスの流量を調節する主調節弁１２の容量係数よりも大きいことが好ましい。
より具体的には、容量係数の一つであるCv値で表すと、副調節弁１６のCv値と、主調節弁１２のCv値との差を好ましくは0.3〜0.6、より好ましくは0.4〜0.5とする（例えば、
主調節弁１２のCv値が0.2、副調節弁１６のCv値が0.7の場合、副調節弁１６と主調節弁１２のCv値の差は0.7-0.2=0.5）。
【００３８】
上記のCv値の差を満たす主調節弁１２と副調節弁１６を用いることによって、筐体２１内を所定の冷却プログラムに従って冷却させること、及び低温液化ガスの流量を間欠的に増加させて容器２０１又はボックス２０３を適度に振動させることの双方を両立することが容易となる。
【００３９】
≪温度測定器≫
温度測定器５１は、筐体２１内の温度を測定する装置であって、例えば、図１に示すように、筐体２１内に設置された熱電対等の温度計５２からの出力信号に基づいて筐体２１内の温度を計測する。
【００４０】
≪調節弁制御部≫
調節弁制御部６１は、温度測定器５１で測定された温度と予め設定された設定温度との偏差に応じて主調節弁１２の開閉を制御し、また、予め設定された冷却開始からの設定時間に応じて副調節弁１６の開閉を制御するものであり、筐体２１内の温度制御、さらには、筐体２１内に格納された容器２０１及び／又はボックス２０３の振動を制御することができる。
副調節弁１６を開閉するタイミングとしての予め設定された冷却開始からの設定時間は、凍結の対象物やボックス２０３の大きさ等に対して予め予備実験等によって過冷却解除が必要となる冷却開始からの経過時間を求めておき、これを設定時間とすればよい。
【００４１】
筐体２１内の温度制御に関しては、温度測定器５１で測定された温度が生体試料を予備凍結するための予め定められた冷却プログラムに追従しているかどうかを判定し、その判定結果に基づいて主調節弁１２の開閉又は開度を制御することで、主供給管１１を流通して筐体２１の吹出口２７から吹き出される低温液化ガスの流量を制御する。
【００４２】
容器２０１及び／又はボックス２０３の振動に関しては、予め設定された設定時間、例えば冷却開始からの経過時間等に応じて副調節弁１６を開弁し、副供給管１５を流通して筐体２１の吹出口２７から吹き出される低温液化ガスの流量を間欠的に増加する制御を行う。
【００４３】
上記構成の予備凍結装置１を用いて、生体試料を収容した容器２０１を収めたボックス２０３を予備凍結する手順は以下のとおりである。
【００４４】
まず、台受け２３に配設されたボックス載置部３１に、生体試料を収容した容器２０１を収めて蓋を外したボックス２０３を載置し、蓋２５を台受け２３にかぶせる。
【００４５】
予備凍結の開始により、主調節弁１２が開弁し、低温液化ガス供給源１００から供給された低温液化ガスは主供給管１１を流通し、吹出口２７から筐体２１内へと吹き出される。
筐体２１内に吹き出された低温液化ガスは、多孔板４１ａ、多孔板４１ｂを通過して流れが均一に整流され、ボックス２０３の底面から内部に流入する。
【００４６】
そして、低温液化ガスは、ボックス２０３に設けられた仕切り２０３ａと容器２０１との隙間を流れ、容器２０１に収容された生体試料を冷却する。
その後、低温液化ガスは蓋２５に設けられた排出口２９から外部へと排出される。
【００４７】
予備凍結過程において、温度測定器５１は温度計５２を介して筐体２１内の温度を測定する。
調節弁制御部６１は、温度測定器５１で測定された温度と予め設定された設定温度との偏差に応じて主調節弁１２の開度を制御する。
【００４８】
又、調節弁制御部６１は、冷却開始からの予め定めた設定時間で、少なくとも一回は副調節弁１６を開弁して、筐体２１に吹き出される低温液化ガスの流量を増加し、ボックス２０３の底面に露出した容器２０１の底面に均一に吹き付けられる低温液化ガス流動の勢いを増すことで容器２０１に振動を与える。
【００４９】
筐体２１内が予め定めた設定温度に達し、予備凍結開始からの経過時間が設定時間に達した時点で予備凍結装置１は動作を終了し、生体試料を収容した容器２０１を収めたボックス２０３の予備凍結は完了する。
【００５０】
図７及び図８に、本実施の形態に係る予備凍結装置１における筐体２１内の制御温度（冷却プログラム）と、主調節弁１２及び副調節弁１６の動作態様の例を示す。
【００５１】
図７及び図８は、主調節弁１２を開閉制御することにより筐体２１内の温度制御するものであり、主調節弁１２の開閉により筐体２１に供給される低温液化ガスの流量を制御し、予め定めた冷却プログラムに従って筐体２１内の温度を制御する。
副調節弁１６を開弁することで筐体２１内に供給される低温液化ガスの流量は一時的に増すものの、副調節弁１６を開弁する時間を短くすることで、筐体２１内の温度低下に与える影響を小さくすることができる。
【００５２】
副調節弁１６による低温液化ガスの供給は、主調節弁１２を用いた予備凍結の開始から少なくとも一度行うもので良いが、図７に示すように予備凍結の開始から終了まで断続的に副調節弁１６を開弁しても良い。
【００５３】
若しくは、図８に示すように、筐体２１内の温度が4℃〜-30℃の温度帯において、少なくとも一度、好ましくは複数回、副調節弁１６を開弁して容器２０１及び／又はボックス２０３に振動を与えることで、生体試料の過冷却状態をより効果的に抑制しつつ、生体試料を冷却し、予備凍結することができる。
【００５４】
なお、上記の説明において、副供給管１５の一端側が主供給管１１に連通するものであったが、吹出口２７に連通するものであっても良い。
【００５５】
又、上記では、ボックス２０３の底面が開口し、低温液化ガスが容器２０１の底面に吹き付けられる場合について説明したが、ボックス２０３の底面が開口していない場合、多孔板４１ａ、多孔板４１ｂ及びボックス載置部３１を通過して均一に整流された低温液化ガスは、ボックス２０３の底面に吹き付けられる。
この場合、副調節弁１６を開弁して筐体２１に供給される低温液化ガスの流量が十分に大きい場合、ボックス２０３の底面に吹き付けられた低温液化ガス流動によってボックス２０３全体が上方に持ち上げられ、振動を与えることができる。
【００５６】
なお、上記の実施の形態では、副調節弁１６を冷却開始からの予め定めた設定時間に開閉する例を示したが、例えば調節弁制御部６１が温度測定器４１から入力される温度情報に基づいて、例えば予め所定の温度になったときに副調節弁６１を所定時間開閉するようにしてもよい。
【符号の説明】
【００５７】
１  予備凍結装置
１１  主供給管
１２  主調節弁
１５  副供給管
１６  副調節弁
２１  筐体
２３  台受け
２３ａ  底面
２５  蓋
２７  吹出口
２９  排出口
３１  ボックス載置部
３１ａ  ボックス枠材
３３  脚部
３５  ナット
３７ａ、３７ｂ  ナット
４１ａ、４１ｂ  多孔板
５１  温度測定器
５２  温度計
６１  調節弁制御部
１００  低温液化ガス供給源
２０１  容器
２０３  ボックス
２０３ａ  仕切り
【図１】
0006434839.tif 000002
【図２】
0006434839.tif 000003
【図３】
0006434839.tif 000004
【図４】
0006434839.tif 000005
【図５】
0006434839.tif 000006
【図６】
0006434839.tif 000007
【図７】
0006434839.tif 000008
【図８】
0006434839.tif 000009